(57)【要約】【課題】分水栓付近に集まる夾雑物を容易に取り除く。【解決手段】配水管１０から給水管１３を分岐させる分水栓本体１１と、配水管１０の外周に沿うサドル２１およびサドルバンド３１とから構成され、分水栓本体１１を、配水管１０の外周に巻き付けたサドル２１およびサドルバンド３１とで配水管１０に固定する。配水管１０の管底に設けた透孔２０を臨むサドルバンド３１の内周面に、外径方向に凹む夾雑物貯留凹部３４を設ける。この夾雑物貯留凹部３４と配水管１０の透孔２０周囲の外周面との間が水密に維持される。サドルバンド３１に夾雑物貯留凹部３４内に浸入した水および夾雑物を排出するドレン３５を開閉可能に設ける。これにより、配水管１０の分水栓本体１１の下方に集まる夾雑物Ｄが、透孔２０を通って沈降して夾雑物貯留凹部３４に溜まり、ドレン３５を通じて排出させることができる。【選択図】図１
2008255633.tif 000002
【特許請求の範囲】
【請求項１】
配水管(１０)から給水管(１３)を分岐させる分水栓本体(１１)を、前記配水管(１０)の外周に沿うサドル(２１、３１)により前記配水管(１０)に固定したサドル付き分水栓において、
前記配水管(１０)の管底に内外を貫通する透孔(２０)を設け、この透孔(２０)に臨む前記サドル(３１)の内周面と前記配水管(１０)の前記透孔(２０)周囲の外周面との間に水密に維持した空間を形成し、前記サドル(３１)に前記透孔(２０)を通して前記空間内に浸入した水および前記空間内の夾雑物を排出するドレン(３５)を開閉可能に設けたことを特徴とするサドル付き分水栓。
【請求項２】
前記配水管(１０)の前記透孔(２０)に臨む前記サドル(３１)の内周面は、外径方向に凹む凹部(３４)となっており、前記空間は前記凹部(３４)と前記透孔(２０)周囲の外周面との間に形成されることを特徴とする請求項１に記載のサドル付き分水栓。
【請求項３】
前記透孔(２０)周囲全周に、前記サドル(３１)の内周面と前記配水管(１０)の外周面とに密着する環状のパッキン(２６)を配置し、そのパッキン(２６)により前記空間の水密を維持したことを特徴とする請求項１または２に記載のサドル付き分水栓。
【請求項４】
前記サドル(３１)の内周面に前記パッキン(２６)の嵌る溝(４４)を設けたことを特徴とする請求項３に記載のサドル付き分水栓。
【請求項５】
前記サドル(３１)に、前記空間内の夾雑物を感知するセンサ(３８)を取り付け、前記ドレン(３５)に開閉弁(３７)を設けてその開閉弁(３７)により前記ドレン(３５)が開閉可能となっており、前記開閉弁(３７)は前記センサ(３８)が前記夾雑物を感知することにより、自動的に開放される機能を備えることを特徴とする請求項１から４のいずれかに記載のサドル付き分水栓。
【発明の詳細な説明】
【技術分野】
【０００１】
この発明は、水道などの配水管から給水管を分岐させる際に使用され、その配水管に設けた取水口に接続して給水管への流路を形成するサドル付き分水栓に関する。
【背景技術】
【０００２】
一般に、水道などの配水管の内部には補修工事に伴って土砂などの夾雑物が管内の通水に紛れ込むことがあり、その配水管内では、図５（ａ）に示すように、夾雑物は管底部に広く沈降した状態で存在している。
【０００３】
この夾雑物を管外に排出するために、例えば、配水管の口径よりも大きい口径の外管内の上部に、管底部にスリットを有する内管を設け、この内管を配水管の途中に接続して、外管の管底部に開閉弁を備えたドレンを設けた夾雑物排出装置が用いられている（特許文献１参照）。
【０００４】
配水管から内管に水とともに流れ込んだ夾雑物は、スリットを通して徐々に沈降し、外管の管底部に溜まっていく。その夾雑物がドレンの開閉弁を開放させることにより水とともに管外に排出される。
【特許文献１】実開平５−１６８５５号公報
【発明の開示】
【発明が解決しようとする課題】
【０００５】
前記夾雑物排出装置の配水管への設置は、配水管の途中に別途夾雑物が沈降して溜まる外管を設けたり、その外管と内管との水密性を維持したりと大掛かりなものになるという問題があった。
【０００６】
ところで、図５（ａ）に示した状態の配水管内の夾雑物は、配水管から分岐させた給水管の末端に設けた蛇口を開いて給水すると、その給水に伴って発生する給水管に向かう水流により分水栓付近に集まる傾向がある（図５（ｂ）参照）。
【０００７】
しかし、上述の特許文献１に記載の夾雑物排出装置は、配水管の途中に接続するように設けられるので、分水栓の設置場所に設けることができない。このため、配水管内の分水栓付近に集まる夾雑物を除去するのには適さない。
【０００８】
そこで、この発明は、分水栓付近に集まる夾雑物を容易に取り除くことを課題とする。
【課題を解決するための手段】
【０００９】
上記の課題を解決するために、この発明は、配水管から給水管を分岐させる分水栓本体を、前記配水管の外周に沿うサドルにより前記配水管に固定したサドル付き分水栓において、前記配水管の管底に内外を貫通する透孔を設け、この透孔に臨む前記サドルの内周面と前記配水管の前記透孔周囲の外周面との間に水密に維持した空間を形成し、前記サドルに前記透孔を通して前記空間内に浸入した水および前記空間内の夾雑物を排出するドレンを開閉可能に設けた構成を採用したのである。
【００１０】
この構成によると、そのサドルにより形成された空間内に、分水栓付近に集まる夾雑物が透孔を通って沈降し溜まっていく。この状態でドレンを開放すれば、その空間内の夾雑物がドレンを通って外部に排出される。このため、分水栓付近に集まる夾雑物を効果的に取り除くことができる。また、分水栓を配水管に取り付けるサドルを利用して夾雑物を沈降させる空間を形成することができるので、部品や部材の増加を最小限に抑えることができる。
【００１１】
この構成において、前記配水管の前記透孔に面する前記サドルの内周面は、外径方向に凹む凹部となっており、前記空間は前記凹部と前記透孔周囲の外周面との間に形成される構成を採用することができる。このようにすれば、サドルの内周面が外径方向に凹む凹部となっているので、配水管の下方に、より大きな空間を確保し易い。その大きな空間は透孔を介して配水管内とつながるので、実質的に配水管の断面積を部分的に大きくさせることができ、断面積が大きくなれば配水管内の水の流速が部分的に遅くなって凹部内へ夾雑物を効果的に沈降させることができる。
【００１２】
上記の構成によって空間の水密、すなわち、配水管の透孔周囲の外周面とサドルの内周面との水密を維持するために、例えば、サドルの内周面と、配水管の管軸方向両端部外周の全周との間で水密を維持させる手法が考えられる。しかし、この手法では、水密を維持するための部材や構造が大掛かりなものとなる。このため、前記透孔周囲全周に前記サドルの内周面と前記配水管の外周面とに密着する環状のパッキンを配置し、そのパッキンにより前記空間の水密を維持するものとすれば、パッキンをコンパクトにできるとともに、サドルを配水管に締め付けることで水密が発揮されるので、容易に水密が維持される。
【００１３】
また、前記サドルの内周面に前記パッキンの嵌る溝を設ければ、その溝に前記パッキンを嵌めて分水栓本体をサドルで配水管に固定することにより、パッキンの位置決めが容易となり、パッキンがずれることを防止することができる。
【００１４】
前記サドルに、前記空間内の夾雑物を感知するセンサを取り付け、前記ドレンに開閉弁を設けてその開閉弁により前記ドレンが開閉可能となっており、前記開閉弁は前記センサが前記夾雑物を感知することにより、自動的に開放される機能を備える構成を採用することができる。この構成によると、センサが前記空間内の夾雑物を感知すれば、ドレンの開閉弁は自動的に開放されるので、夾雑物の堆積量が所定量に達した際にドレンから水とともに夾雑物を自動的に排出させることができる。
【発明の効果】
【００１５】
以上のように、この発明は、配水管に分水栓本体を固定するサドルに凹部を設け、その凹部内の夾雑物を水とともにドレンから外部に排出するようにしたので、分水栓付近に集まる夾雑物を取り除くことができる。
【発明を実施するための最良の形態】
【００１６】
以下、この発明の第一の実施形態を図１、図２に示す。この実施形態のサドル付き分水栓は、配水管１０から給水管１３を分岐させる分水栓本体１１と、配水管１０の外周に沿う円弧状のサドル２１およびサドルバンド（サドル）３１とから構成され、分水栓本体１１を、配水管１０の外周に巻き付けたサドル２１およびサドルバンド３１とで配水管１０に固定するものである。
【００１７】
前記配水管１０は、その管頂に内外を貫通する取水口１６が設けられ、管底にも内外に貫通する透孔２０が設けられている。取水口１６を通して配水管１０内の水を分水栓本体１１により分岐させた給水管１３に送る。また、その透孔２０は、これに臨むサドルバンド３１の内周面に設けた夾雑物貯留凹部３４の内部と通じている。
【００１８】
前記分水栓本体１１は、筒状となっており、その側面に分水孔１２が形成されている。分水栓本体１１の一端面に給水管１３が接続される流出口１４を有し、他端面には配水管１０から給水管１３への流入口（図示せず）を有する接続管部１５が設けられる。
【００１９】
分水栓本体１１の内部には、内部流路の形成されたボール弁（図示せず）が収容されており、スピンドル１７によりこのボール弁を回転させ、分水栓本体１１の流入口を開閉する。
【００２０】
前記分水栓本体１１を配水管１０に固定するサドル２１は、配水管１０の外周面に沿うように形成された円弧状部２２と、その両側で外向き（図１中の左右方向）に伸びボルト孔（図示せず）を有するアーム２３とを備えている。その円弧状部２２の中央に、分水栓本体１１を取り付けるための取付孔（図示せず）を有する取付部２４が外向きに突き出ている。
【００２１】
前記接続管部１５がサドル２１の円弧状部２２の取付部２４に取り付けられることにより、分水栓本体１１がサドル２１に固定される。この固定状態では接続管部１５の流入口は、配水管１０に形成された取水口１６に通じている。
【００２２】
また、配水管１０の取水口１６周囲の全周に、円弧状部２２の内周面と配水管１０の外周面に密着する環状のパッキン２５が配置され、そのパッキン２５により配水管１０の取水口１６周囲の水密性を維持している。
【００２３】
さらに、前記サドル２１に配水管１０を間に挟んで対向してサドルバンド３１が配置される。このサドルバンド３１は、サドル２１と同様、円弧状部３２とその両側に伸びるアーム３３とを備える。このサドルバンド３１の円弧状部３２に、下方に（配水管１０の外径方向に）凹んだ円形の夾雑物貯留凹部３４が設けられ、夾雑物貯留凹部３４の下方に排出孔３６が設けられている。
【００２４】
サドルバンド３１の円弧状部３２の内周面と、配水管１０の外周面とに密着する環状のパッキン２６が配水管１０の管底の透孔２０周囲全周に配置され、サドルバンド３１の円弧状部３２の内周面に前記パッキン２６を嵌める溝４４が設けられている。この溝４４に嵌めたパッキン２６により配水管１０の透孔２０周囲の水密性を維持している。
【００２５】
また、夾雑物貯留凹部３４の下方には、その内部に侵入した水および夾雑物貯留凹部３４内の夾雑物Ｄを排出するドレン３５が設けられ、そのドレン３５は、図２に示すように、給水管１３に設けられる止水栓１８を開閉操作するための止水栓室１９を利用して、その止水栓室１９内に延びており、夾雑物Ｄを含むドレン排水を調節する開閉弁（電動弁）３７が設けられる。
【００２６】
サドルバンド３１のアーム３３に、ボルト４１が挿通されるボルト孔（図示せず）が設けられ、配水管１０を挟んで上下に配置されるサドル２１とサドルバンド３１の各ボルト孔にボルト４１が挿通される。そのボルト４１にナット４２が締付けられることにより、サドル２１に固定された分水栓本体１１が配水管１０に固定される。
【００２７】
配水管１０に分水栓本体１１を固定した状態で、その配水管１０の、サドルバンド３１の夾雑物貯留凹部３４に臨む管底には、夾雑物貯留凹部３４の内部と通じる透孔２０が設けられているので、配水管１０内の夾雑物Ｄが、透孔２０を通って沈降しサドルバンド３１の夾雑物貯留凹部３４内に溜まる。
【００２８】
この夾雑物貯留凹部３４により、サドルバンド３１の円弧状部３２の内周面が外径方向に凹んでいるので、配水管１０の下方に大きな空間が確保され、その大きな空間は配水管１０内とつながるので、実質的に配水管１０の断面積を部分的に大きくさせることができる。断面積が大きくなれば配水管１０内の水の流速が部分的に遅くなって夾雑物貯留凹部３４内へ夾雑物Ｄを効果的に沈降させることができる。なお、前記空間の大きさはサドルバンド３１に形成される夾雑物貯留凹部３４の形状を適宜変更することにより調整することができる。
【００２９】
また、夾雑物貯留凹部３４内の夾雑物Ｄの配水管１０への再流出を防止するために、配水管１０の透孔２０の管軸方向および管軸に直交方向の開口幅と、夾雑物貯留凹部３４の深さは適宜設定してもよく、図１に示すように、前記開口幅を夾雑物貯留凹部３４の内径よりも小さくするのが望ましい。
【００３０】
次に、この発明の他の実施形態を図３、図４に示す。この実施形態は、図３に示すように、サドルバンド３１の夾雑物貯留凹部３４内に、その内部の夾雑物Ｄを感知するセンサ３８を取り付け、前記ドレン３５に開閉弁３７を設けてその開閉弁３７により前記ドレン３５が開閉可能となっている点で、上述の第一の実施形態と相違する。その他の構成は第一の実施形態の場合と同様である。
【００３１】
この実施形態では、夾雑物貯留凹部３４内のセンサ３８は、光学的センサであり、センサ３８の先端から所定距離（上下方向の距離）以内の部分に夾雑物Ｄを感知すれば、図４に示す電源装置４３と接続された制御器４０に感知信号を発する。
【００３２】
センサ３８のコード３９は、夾雑物貯留凹部３４の排水孔３６を通った後、ドレン３５の外部に引き出され、止水栓室１９内に伸び制御器４０に接続される（図４参照）。その制御器４０は、センサ３８からの感知信号を受けて、そのセンサ３８が夾雑物Ｄを感知している間だけドレン３５に設けた電動弁３７を自動的に開放させる機能を有する。この開放により、夾雑物貯留凹部３４内の夾雑物Ｄが水とともに配水管の外部に排出される。
【００３３】
また、夾雑物貯留凹部３４内の夾雑物Ｄをすべて排出するためには、一定時間以上の継続的な排水が必要であるので、例えば、前記感知信号を制御部４０が受けた時点で電動弁３７を開放し、タイマにより一定時間が経過すれば自動的に電動弁３７を閉じるように制御器４０が機能するようにしてもよい。このようにすれば、センサ３８の発する感知信号が途絶えた後も排出を続けることができる。
【図面の簡単な説明】
【００３４】
【図１】この発明に係る第一の実施形態のサドル付き分水栓の正面図
【図２】同上のサドル付き分水栓の使用状態を示す正面図
【図３】他の実施形態のセンサの取り付け状態を示す正面図
【図４】同上のサドル付き分水栓の使用状態を示す正面図
【図５】従来の配水管内の夾雑物の状態を示す断面図
【符号の説明】
【００３５】
１０  配水管
１１  分水栓本体
１２  分水孔
１３  給水管
１４  流出口
１５  接続管部
１６  取水口
１７  スピンドル
１８  止水栓
１９  止水栓室
２０  透孔
２１  サドル
２２  円弧状部
２３  アーム
２４  取付部
３１  サドルバンド
３２  円弧状部
３３  アーム
３４  夾雑物貯留凹部
３５  ドレン
３６  排水孔
３７  開閉弁（電動弁）
３８  センサ
３９  センサコード
４０  制御器
４１  ボルト
４２  ナット
４３  電源装置
４４  溝
【図１】
2008255633.tif 000003
【図２】
2008255633.tif 000004
【図３】
2008255633.tif 000005
【図４】
2008255633.tif 000006
【図５】
2008255633.tif 000007